(57)【要約】【課題】本発明は、椅子におけるひじ掛けを掃除する手間を軽減するための技術を提供することを目的とする。【解決手段】椅子は、利用者が着席する座と、前記座を左右から挟んで支持する一対の支持体と、前記座において前記支持体に挟まれていない前後いずれかの領域に配置された背もたれと、前記支持体それぞれに設けられたひじ掛けと、を備えており、前記支持体は、上端が前後方向に延びる面状に形成されており、前記ひじ掛けは、前記支持体の上端に沿った板状の部材として形成されており、前記支持体と前記ひじ掛けとは、前記ひじ掛けの裏面側に設けられた嵌合部が前記支持体側に設けられた被嵌合部と嵌合して着脱可能に取り付けられている。【選択図】図３
2019141208.tif 000002
【特許請求の範囲】
【請求項１】
利用者が着席する座と、
前記座を左右から挟んで支持する一対の支持体と、
前記座において前記支持体に挟まれていない前後いずれかの領域に配置された背もたれと、
前記支持体それぞれに設けられたひじ掛けと、を備えており、
前記支持体は、上端が前後方向に延びる面状に形成されており、
前記ひじ掛けは、前記支持体の上端に沿った板状の部材として形成されており、
前記支持体と前記ひじ掛けとは、前記ひじ掛けの裏面側に設けられた嵌合部が前記支持体側に設けられた被嵌合部と嵌合して着脱可能に取り付けられている、椅子。
【請求項２】
前記支持体と前記ひじ掛けとは、前記ひじ掛けの嵌合部と前記支持体の被嵌合部とが嵌合する領域以外の領域に設けられた面ファスナーにより取り付けられる、請求項１に記載の椅子。
【発明の詳細な説明】
【技術分野】
【０００１】
本発明は、椅子に関する。
【背景技術】
【０００２】
寝椅子や座椅子のようにくつろぐために用いられる椅子においては、ひじ掛けが固定されているものもある（特許文献１参照）
【先行技術文献】
【特許文献】
【０００３】
【特許文献１】特開2002-078766号公報
【発明の概要】
【発明が解決しようとする課題】
【０００４】
しかし、椅子に固定されているひじ掛けは、直接人間の手に触れるために汚れやすく、掃除などに手間がかかるという問題があった。本発明は、椅子におけるひじ掛けを掃除する手間を軽減するための技術を提供することを目的とする。
【課題を解決するための手段】
【０００５】
上記課題を解決するために、第１局面の椅子は、利用者が着席する座と、前記座を左右から挟んで支持する一対の支持体と、前記座において前記支持体に挟まれていない前後いずれかの領域に配置された背もたれと、前記支持体それぞれに設けられたひじ掛けと、を備えており、前記支持体は、上端が前後方向に延びる面状に形成されており、前記ひじ掛けは、前記支持体の上端に沿った板状の部材として形成されており、前記支持体と前記ひじ掛けとは、前記ひじ掛けの裏面側に設けられた嵌合部が前記支持体側に設けられた被嵌合部と嵌合して着脱可能に取り付けられている。
【０００６】
この局面における椅子であれば、支持体とひじ掛けとが、嵌合部および被嵌合部により着脱可能に取り付けられているため、ひじ掛けを取り外した状態で容易に掃除することができる。また、ひじ掛けを容易に着脱できるため、同じ構成のひじ掛けを複数パターン用意しておくことにより、椅子としてのイメージを容易に変えることができるようになる。
【０００７】
また、上記局面においては、第２の局面のように、前記支持体と前記ひじ掛けとは、前記ひじ掛けの嵌合部と前記支持体の被嵌合部とが嵌合する領域以外の領域に設けられた面ファスナーにより取り付けられる、ようにしてもよい。
【０００８】
この局面における椅子であれば、支持体とひじ掛けとを面ファスナーによって、着脱可能な機能を維持しつつ、より強固に取り付けることができる。
【図面の簡単な説明】
【０００９】
【図１】椅子の全体構成を示す図（１／２）
【図２】椅子の全体構成を示す図（２／２）
【図３】支持体とひじ掛けとの取付構造を示す図
【図４】椅子のリクライニング機能を表す側面図
【発明を実施するための形態】
【００１０】
以下に本発明の実施形態を図面と共に説明する。
【００１１】
椅子１は、図１,図２に示すように、利用者が着席する座１０と、座１０を左右から挟んで支持する一対の支持体２０と、座１０において支持体２０に挟まれていない前後いずれか一方の領域（本実施形態では後方領域）に配置された背もたれ３０と、支持体２０それぞれに設けられたひじ掛け４０と、座１０において支持体２０に挟まれていない前後いずれか他方の領域（本実施形態では前方領域）に配置された箱状の足置き５０と、を備えている。
【００１２】
支持体２０は、上端が前後方向に延びる面状に形成されており、ひじ掛け４０は、支持体２０の上端に沿った板状の部材として形成されている。
【００１３】
なお、本実施形態において、支持体２０の上端は、前後方向に延びる平面状に形成されているが、前後方向に弧を描くように曲面状に形成されていてもよく、この場合、ひじ掛け４０もその形状にあわせた曲面状に形成すればよい。
【００１４】
この構成において、支持体２０とひじ掛け４０とは、図３に示すように、ひじ掛け４０の裏面側に設けられた嵌合部４１が支持体２０側に設けられた被嵌合部２１と嵌合することにより位置決めされつつ着脱可能に取り付けられている。本実施形態では、ひじ掛け４０の嵌合部４１が前後方向に沿って１以上（本実施形態では２つ）が配置された突起として形成され、支持体２０の被嵌合部２１が嵌合部４１と嵌合する孔として形成されているが、ひじ掛け４０の嵌合部４１が孔状に形成され、支持体２０の被嵌合部２１が突起状に形成されていてもよい。
【００１５】
さらに、支持体２０とひじ掛け４０とは、ひじ掛け４０の嵌合部４１と支持体２０の被嵌合部２１とが嵌合する領域以外の領域に設けられた面ファスナー４３、２３により取り付けられるように構成されている。このように面ファスナー４３、２３を用いる場合においては、ひじ掛け４０の嵌合部４１と支持体２０の被嵌合部２１とは、両者を位置決めできる程度に嵌合すればよく、両者を着脱するための機能を面ファスナー４３、２３のみに担わせるように構成してもよい。
【００１６】
なお、この支持体２０とひじ掛け４０との取付は、両者を着脱可能に取り付けられれば、面ファスナー４３、２３以外の部材を用いてもよい。例えば、両者をマグネットにより磁力で取り付けるように構成することが考えられる。
【００１７】
座１０および足置き５０には、その上部にクッション体１１、５１が配置されている。
【００１８】
また、本実施形態における椅子１は、図４に示すように、背もたれ３０を傾斜可能なリクライニング機能を有するいわゆる寝椅子としても用いられるものであり、利用者がくつろぎやすくなるよう、種々の工夫が施されている。
【００１９】
例えば、ひじ掛け４０は、その後端が、背もたれ３０を傾斜させていない状態における背もたれ３０前端に対応する位置まで到達するように構成されている。これにより、背もたれ３０を傾斜させていない状態において、利用者の肘がひじ掛けの外に出てしまうことを防止している。
【００２０】
また、支持体２０は、背もたれ３０を傾斜させていない状態における背もたれ３０前端に対応する位置を基準として、この位置から後方へ向かうほど、その上端が弧を描きながら後方および下方へ向かう形状となっている。こうして、背もたれ３０が傾斜していく際の軌道に沿って支持体２０の上端も変位させることにより（図４参照）、背もたれ３０の傾斜に伴って後方へ移動する利用者の肘が支持体２０に接触して背もたれ３０の傾斜を妨げないようにすることができる。
【００２１】
また、背もたれ３０上部のヘッドレスト３１は、背もたれ３０本体と同じ幅となるよう横方向に幅広となっているだけでなく、左右の端部側が端部へ向かうほど前方へ突出するように形成されていることにより、背もたれを最大まで傾斜させた際に利用者が大きく左右に動いてもその頭がヘッドレスト３１から落ちてしまうことを防止している。
【００２２】
さらに、背もたれ３０、座１０のクッション体１１および足置き５０のクッション体５１は、それぞれのクッション部分を複数領域に分割して、利用者の接触領域を立体的にすることで、座り心地を向上させている。また、これらのクッション部分は、いずれも横方向に３分割され、背もたれ３０から足置き５０に至る３本の帯状領域が目立つように形成されているため、利用者が着席するに際して、これら帯状領域を目印として着席しやすくなるという効果も奏する。
【００２３】
上記実施形態の椅子１であれば、支持体２０とひじ掛け４０とが、嵌合部４１および被嵌合部２１により着脱可能に取り付けられているため、ひじ掛け４０を取り外した状態で容易に掃除することができる。また、ひじ掛け４０を容易に着脱できるため、同じ構成のひじ掛け４０を複数パターン用意しておくことにより、椅子１としてのイメージを容易に変えることができるようになる。
【００２４】
また、支持体２０とひじ掛け４０とが、嵌合部４１と被嵌合部２１とが嵌合する領域以外の領域が面ファスナー４３、２３により取り付けられるため、両者の着脱可能な機能を維持しつつ、より強固に取り付けることができる。
【図１】
2019141208.tif 000003
【図２】
2019141208.tif 000004
【図３】
2019141208.tif 000005
【図４】
2019141208.tif 000006